【事件の表示】
　平成　９年特許願第　９２３４４号「イメージセンサおよびこのイメージセンサを用いた情報処理装置」拒絶査定不服審判事件〔平成１０年１０月２３日出願公開、特開平１０−２８５３３１〕について、次のとおり審決する。
【結　論】
　本件審判の請求は、成り立たない。
【理　由】
１．手続の経緯等
　　
　本願は、平成９年４月１０日の出願であって、平成１４年１１月５日付け、及び平成１６年７月３０日付けの手続補正書によって補正された明細書及び図面の記載から、本願の請求項１に係る発明（以下、本願発明という。）は、以下に示す特許請求の範囲の請求項１に記載された事項により特定されるとおりのものである。
　
「結像レンズで結像された光を、センサアレー上に実装した光電センサで受光することにより得られる光情報から画像信号を生成するイメージセンサであって、
　前記センサアレー上の光電センサ実装面における前記光電センサの実装領域と異なる領域に形成される電極部と、
　前記光電センサと前記電極部とを電気的に接続するための導電性細線とを備え、
　前記光電センサと前記結像レンズとの間に、前記結像レンズの結像エリアを絞り込むためのスリットを設け、前記電極部が前記結像レンズの結像エリアの範囲外になるようにしたことを特徴とするイメージセンサ。」
　
２．引用例
　
　これに対して、平成１６年５月２７日付けで通知された当審の拒絶理由で引用された特開平５−８４４５号公報（以下、引用例という。）には、図面とともに次の記載がなされている。
　
（１）「【０００１】
【発明の利用分野】この発明は、ＬＥＤプリンタヘッドやイメージセンサ等の画像装置に関し、特に用いる画像素子アレイの樹脂封止に関する。
【０００２】
【従来技術】ＬＥＤアレイや光電素子アレイ等を用いた、画像装置が広く用いられている。これらの画像装置では、ＬＥＤアレイを用いる場合、画像素子アレイとしてのＬＥＤアレイを多数、画像装置の基板上に直線状に配置し、プリンタヘッドとして用いる。一方光電素子アレイを用いる場合、光電素子アレイを多数直線状に配置し、密着型イメージセンサとして用いる。これらのいずれの場合にも、セルフフォーカシングレンズアレイ等のレンズアレイを、画像素子アレイに対向して設け、感光ドラムへのＬＥＤアレイからの結像や、原稿から光電素子アレイへの結像等を行う。」
　
（２）「【０００４】これらの公知例では、リード線８の個別電極６へのボンディング部を完全に被覆するため、樹脂１４には例えば８，０００ｃｐｓ（センチポアズ）を中心に、６，０００〜１０，０００ｃｐｓ程度の高粘度樹脂を用いる。しかしながらこれに伴って、以下の問題が生じることを発明者は見い出した。
（中略）
これらの問題はＬＥＤプリンタヘッドの場合だけでなく、イメージセンサの場合も全く同様となる。即ち樹脂１４のレンズ作用は、イメージセンサ光電素子アレイ等への入射光を歪め、樹脂１４の厚さのばらつきはレンズアレイと光電素子アレイとの結像関係を乱し、気泡は入射光を乱反射する。またレンズアレイから共通電極や個別電極６等で乱反射された光は、ハウジングで再度乱反射され、ゴースト画像として光電素子アレイに入射する。」
　
（３）「【０００９】
【実施例】図１〜図９に、ＬＥＤプリンタヘッドを例に、実施例を示す。図１において、２はＬＥＤアレイで、例えばＧａ−Ａｓ基板に６４個の発光ダイオードを直線状に集積したものを、画像装置の基板４に直線状に例えば４０個配置する。なおＬＥＤアレイ２は、例えば千鳥状に２列に直線状に配置しても良い。また基板４には、例えばセラミックやガラスを用いる。６は各発光ダイオードに対応した個別電極で、６４本の個別電極６を用いる。８は個別電極と発光ダイオードを接続したリード線で、両端を発光ダイオードと個別電極６にワイヤボンディングする。１０はポリイミド樹脂等の絶縁膜、１２は導電性接着剤である。２０はＬＥＤアレイ２の発光ダイオード、２２は基板４に設けた共通電極で、ＬＥＤアレイ２の数に対応して４０個設け、２４は外部のフレキシブルプリント基板で、２６は共通電極２２への電極パッドである。」
　
（４）「【００１２】図２に開口角の問題を示す。共通電極２２は絶縁膜１０の切り欠き部に入り、ここで導電性接着剤１２によりＬＥＤアレイ２の裏面の共通電極と接続する。図の３４はセルフフォーカシングレンズアレイで、３６，３６は２列に直線状に固定した棒状レンズである。αはレンズアレイ３４の開口角で、例えば２０度とする。ここで開口角αが流れ止め枠３２で終わり、開口角αの範囲に共通電極２２や個別電極６の露出部が入らないようにすると、発光ダイオード２０からハウジングを経て共通電極２２や個別電極６で乱反射した光は、流れ止め枠３２で遮られ、レンズアレイ３４には入射しない。この結果乱反射によるゴースト画像が解消する。」
　
　したがって、具体的な実施例としては示されてはいないが、引用例には次の発明（以下、引用発明という。）が記載されているといえる。
　
「セルフフォーカシングレンズアレイ等のレンズアレイを、基板に配置した光電素子アレイに対向して設け、原稿から光電素子アレイへの結像を行うイメージセンサであって、
　基板に設けた個別電極と、
　光電素子と個別電極とを接続したリード線とを備え、
　レンズアレイの開口角αの範囲に個別電極の露出部が入らないようにしたことを特徴とするイメージセンサ。」
　
３．対比
　
　引用発明の「セルフフォーカシングレンズアレイ等のレンズアレイを、基板に配置した光電素子アレイに対向して設け、原稿から光電素子アレイへの結像を行うイメージセンサ」である点は、本願発明の「結像レンズで結像された光を、センサアレー上に実装した光電センサで受光することにより得られる光情報から画像信号を生成するイメージセンサ」である点に相当し、「基板に設けた個別電極」は、引用例の図２に示されるように、「導電性接着剤１２」により、画像素子アレイである「ＬＥＤアレイ２」の裏面の共通電極と接続される「共通電極２２」とは異なり、「基板４」の画像素子アレイである「ＬＥＤアレイ２」が配置された領域と異なる領域に設けられているので、本願発明の「前記センサアレー上の光電センサ実装面における前記光電センサの実装領域と異なる領域に形成される電極部」に対応し、「光電素子と個別電極とを接続したリード線」は、本願発明の「前記光電センサと前記電極部とを電気的に接続するための導電性細線」に対応するものである。
　そして、本願発明で「前記光電センサと前記結像レンズとの間に、前記結像レンズの結像エリアを絞り込むためのスリットを設け、前記電極部が前記結像レンズの結像エリアの範囲外になるようにしたこと」は、発明の詳細な説明の発明の効果の項（段落３４）に記載されているように、「前記結像レンズの結像光が前記電極部で反射することを防止すること」を可能とするものであり、引用発明の「レンズアレイの開口角αの範囲に個別電極の露出部が入らないようにしたこと」も、上記２．（２）の「レンズアレイから共通電極や個別電極６等で乱反射された光は、ハウジングで再度乱反射され、ゴースト画像として光電素子アレイに入射する。」という従来技術の問題を解決するためのものであるから、結像レンズの結像光が電極部で反射することを防止することでは共通し、後記する相違点で異なるものである。
　したがって、本願発明と引用発明とは次の点で一致する。
　
「結像レンズで結像された光を、センサアレー上に実装した光電センサで受光することにより得られる光情報から画像信号を生成するイメージセンサであって、
　前記センサアレー上の光電センサ実装面における前記光電センサの実装領域と異なる領域に形成される電極部と、
　前記光電センサと前記電極部とを電気的に接続するための導電性細線とを備え、
　前記結像レンズの結像光が前記電極部で反射することを防止することを特徴とするイメージセンサ。」
　
　また次の点で相違する。
　
　相違点
　本願発明では、結像レンズの結像光が電極部で反射することを防止するために「前記光電センサと前記結像レンズとの間に、前記結像レンズの結像エリアを絞り込むためのスリットを設け、前記電極部が前記結像レンズの結像エリアの範囲外になるようにしたこと」としているのに対して、引用発明では「レンズアレイの開口角αの範囲に個別電極の露出部が入らないようにしたこと」としている点。
　
４．相違点の判断
　
　スリットにより不要光を遮断することは周知技術であり（例えば、特開平６−１５２８６０号公報、特開平５−１６７７７８号公報、特開平５−９１２４４号公報、特開平４−２０７４５５号公報）、引用発明で「レンズアレイの開口角αの範囲に個別電極の露出部が入らないようにしたこと」に代えてスリットを設けることで、結像レンズの結像光が電極部に入射しないようにして、本願発明と同様の構成とすることに困難な点はない。
　
５．むすび
　
　したがって、本願の請求項１に係る発明は、上記引用例に記載された発明に基づいて当業者が容易に発明をすることができたものであるから、特許法第２９条第２項の規定により特許を受けることができない。
　よって、結論のとおり審決する。